(57)【特許請求の範囲】
【請求項１】
消音ボックス（１）と、該消音ボックス（１）内に設けられたファン（２）を具備し、該消音ボックス（１）の吸込口（３ａ）から吸い込んだ空気を該消音ボックス（１）内に形成された通路（６）を通って該ファン（２）の吸込口（２ａ）に導き、該ファン（２）で加圧し、該消音ボックス（１）の吐出口（４ａ）から吐き出すように構成した消音ボックス付ファンにおいて、
前記消音ボックス（１）の吸込口（３ａ）から前記ファン（２）の吸込口（２ａ）までの通路（６）を吸音材（５）で形成すると共に、該消音ボックス（１）の吸込口（３ａ）からファン（２）の吸込口（２ａ）までの通路を少なくとも２個の片寄部（６ａ、６ｃ）と該片寄部（６ａ、６ｃ）を連通する連通部（６ｂ）とし、該連通部（６ｂ）で互いに連通された前記片寄部（６ａ）と片寄部（６ｃ）はその中心線（ｌ１、ｌ２）を消音ボックス（１）の中心線（Ｌ）より所定量互いに反対方向に片寄らせ、前記片寄部（６ａ、６ｃ）と連通部（６ｂ）の断面積及び断面形状を前記通路（６）を通る空気流に渦や旋回流が生じないように略同一としたことを特徴とする消音ボックス付ファン。
【請求項２】
請求項１に記載の消音ボックス付ファンにおいて、
前記消音ボックス（１）の吸音材（５）内の所定位置に、該吸音材（５）を透過して伝播する音を音源側に反射する反射板を設けたことを特徴とする消音ボックス付ファン。
【請求項３】
請求項２に記載の消音ボックス付ファンにおいて、
前記反射板を消音ボックス（１）の吸音材（５）内の前記片寄部（６ａ、６ｃ）と前記連通部（６ｂ）の境界部（Ｆ、Ｇ）に設けたことを特徴とする消音ボックス付ファン。
【発明の詳細な説明】
【０００１】
【産業上の利用分野】
本発明は消音ボックスを具備し、該消音ボックスでファン等の音源から発する騒音を消す消音ボックス付ファンに関するものである。
【０００２】
【従来技術】
従来この種の消音ボックス付ファンは、消音ボックスの内側に板状の吸音材を取り付け、ファンからの音を吸音する構造とし、消音ボックス内を通る空気の渦や旋回を防止するための旋回防止板や風向変更板を取り付ける構造を採用している。
【０００３】
【発明が解決しようとする課題】
しかしながら、上記従来構造の消音ボックス付ファンにおいては、消音ボックスの吸込口からファンの吸込口までの空気が通る通路の断面積や断面形状に該吸込口からファンの吸込口までの間で急激な変化があるため、該通路を流れる空気流に渦が発生する場合があり、この渦による消音ボックス内の圧力損失が大きく、空気の旋回流によるファンの性能低下、渦により騒音が発生するという問題があった。また、ファンから発する音が該通路を通って外部に漏れ、これが騒音となるという問題もあった。
【０００４】
本発明は上述の点に鑑みてなされたもので、上記問題点を除去し、消音ボックスの空気通路に空気の渦や旋回流が発生することなく、ファンの性能が低下することなく、且つファン等の音源から発生する騒音が外部に漏れない消音ボックス付ファンを提供することを目的とする。
【０００５】
【課題を解決するための手段】
上記課題を解決するため本発明は、消音ボックス（１）と、該消音ボックス（１）内に設けられたファン（２）を具備し、消音ボックス（１）の吸込口（３ａ）から吸い込んだ空気を該消音ボックス（１）内に形成された通路（６）を通って該ファン（２）の吸込口（２ａ）に導き、ファン（２）で加圧し、消音ボックス（１）の吐出口（４ａ）から吐き出すように構成した消音ボックス付ファンにおいて、消音ボックス（１）の吸込口（３ａ）からファン（２）の吸込口（２ａ）までの通路（６）を吸音材（５）で形成すると共に、消音ボックス（１）の吸込口（３ａ）からファン（２）の吸込口（２ａ）までの通路を少なくと２個の片寄部（６ａ、６ｃ）と該片寄部（６ａ、６ｃ）を連通する連通部（６ｂ）とし、連通部（６ｂ）で互いに連通された片寄部（６ａ）と片寄部（６ｃ）はその中心線（ｌ１、ｌ２）を消音ボックス（１）の中心線（Ｌ）より所定量互いに反対方向に片寄らせ、片寄部（６ａ、６ｃ）と連通部（６ｂ）の断面積及び断面形状を通路（６）を通る空気流に渦や旋回流が生じないように略同一としたことを特徴とする。
【０００６】
また、消音ボックス（１）の吸音材（５）内の所定位置に、該吸音材（５）を透過して伝播する音を音源側に反射する反射板を設けたことを特徴とする。
【０００７】
また、反射板を消音ボックス（１）の吸音材（５）内の前記片寄部（６ａ、６ｃ）と前記連通部（６ｂ）の境界部（Ｆ、Ｇ）に設けたことを特徴とする。
【０００９】
【作用】
本発明は上記のように消音ボックスの吸込口からファンの吸込口までの通路を、その断面積及び断面形状が吸込口からファンの吸込口まで急激な変化がないよう略同一に形成したので、該通路内で空気流の渦が発生することなく、消音ボックス内の圧力損失を小さくでき、空気の旋回流によるファンの性能低下を防止し且つ騒音の発生がない。
【００１０】
また、消音ボックスの吸込口からファンの吸込口までの通路を吸音材で形成するので、空気が該通路を通るとき発生する音及びファンから発生する音等は該吸音材で吸音される。
【００１１】
また、ファンの音が直接が消音ボックスの吸込口に伝わらないように上記通路を少なくとも２個所で該消音ボックスの中心線より片寄らせたので、ファンからの音はこの片寄らせた部分及びそれを接続する部分の通路内面に当たり、ここで吸音されるから、吸込口には直接伝播しない。
【００１２】
また、消音ボックス内に吸音材を透過する音を反射する反射板を設けたので、音源から吸音材を透過して該反射板に到達する音は該反射板により音源側に反射するから、消音作用が更に向上する。
【００１３】
【実施例】
以下、本発明の実施例を図面に基づいて説明する。図１は本発明の消音ボックス付ファンの構造を示す図である。図１において、１は消音ボックス本体であり、該消音ボックス１内にファン２が設けられている。
【００１４】
消音ボックス１は両端に吸込板３及び吐出板４を有し、該吸込板３には吸込口３ａ、吐出板４には吐出口４ａが設けられている。消音ボックス１の内部には吸音材５で吸込口３ａから吐出口４ａに通じる空気の通路６が設けられている。前記ファン２は該通路６の吐出口４ａの近傍に設けられている。
【００１５】
ファン２は電動機８と羽根車９を具備し、該羽根車９は電動機８の主軸８ａに固定され、前記空気の通路６に設けられたケーシング７内に配置されている。吸込口３ａからファン２の吸込口２ａまでの空気の通路６は、該吸込板３の吸込口３ａに接近する部分６ａとファン２の吸込口２ａに接近する部分６ｃではその中心線ｌ１、ｌ２が互に反対側に消音ボックスの中心線Ｌより片寄らせて配置されており、該部分６ａと部分６ｃは部分６ｂで接続されている。
【００１６】
ここで、空気の通路６に連通する吸込板３の吸込口３ａの断面をＡ、通路６の部分６ａの断面をＢ、通路６の部分６ｂの断面をＣ、通路６の部分６ｃの断面をＤ、ファン２の吸込口２ａの断面をＥとすると、断面Ａ、Ｂ、Ｃ、Ｄ、Ｅの面積及び形状は略同一となるように、即ち通路の断面積及び断面形状が吸込口３ａからファンの吸込口２ａまで急激な変化がないように形成している。
【００１７】
また、消音ボックス１の通路６の部分６ａと部分６ｂの境界部Ｆ及び通路６の部分６ｂと部分６ｃの境界部Ｇに鉄板等の反射板１０、１１を設けている。なお、図１中の１２、１３はそれぞれ吸込口側及び吐出口側の相フランジを示す。
【００１８】
上記構造の消音ボックス付ファンにおいて、電動機８を起動してファン２を起動すると、羽根車９が回転し、消音ボックス１の吸込口３ａから吸い込まれた空気は通路６の部分６ａ、６ｂ、６ｃを通り、更にファン２の吸込口２ａ、吐出口２ｂを通って、消音ボックス１の吐出口４ａから送り出される。
【００１９】
この時、上記のように通路６の断面Ａ、Ｂ、Ｃ、Ｄ、Ｅの面積及び形状は略同一となるように、即ち通路の断面積及び断面形状は吸込口３ａからファンの吸込口２ａまで急激な変化がないように形成しているので、該通路を通る空気流に渦や旋回流を生じることがなく、消音ボックス１の圧力損失を小さくできると共に、旋回によるファン２の性能低下を防ぐことができ、更に渦により発生する渦音がなくなる。
【００２０】
また、ファン２の羽根車９を音源とする騒音はファン２の吸込口２ａから図２の矢印Ｈに示すように放射されるが、それらは吸音材５からなる通路６の部分６ｃの内壁面で吸音され、更に通路６の部分６ｂ、６ａの内壁面で吸音されるので、消音ボックス１の吸込口３ａからの騒音は大幅に低減される。
【００２１】
また、上記のように吸込口３ａからファン２の吸込口２ａまでの空気の通路６は、吸込口３ａに接近する部分６ａと吸込口２ａに近い部分６ｃでは、その中心線ｌ１、ｌ２が消音ボックス１の中心線Ｌより互に反対側になるように片寄らせて配置しているから、ファン２の羽根車９から吸込口３ａの方向に伝播する騒音は、通路６の部分６ａと部分６ｃを接続する部分６ｂの内壁面で遮断されるから、吸込口３ａに直接伝播することはない。
【００２２】
また、消音ボックス１の通路６の部分６ａと部分６ｂの境界部Ｆ及び部分６ｂと部分６ｃの境界部Ｇに吸音材５を透過して浸入した音波を反射する反射板１０、１１、例えば鉄板を設けたので、吸音材５を透過して浸入した騒音は該反射板１０、１１で騒音源側に反射され、吸音材で吸音される。
【００２３】
なお、上記消音ボックス付ファンの構造は一例であり、本発明の消音ボックス付ファンはこれに限定されるものではなく、要は吸込口３ａからファンの吸込口２ａまでの通路６を、その断面積及び断面形状が吸込口からファンの吸込口まで急激な変化がないよう略同一に形成し、且つ該通路を吸音材で形成するものであればよい。また、ファン２からの音が直接消音ボックスの吸込口３ａに伝わらないよう該通路を少なくとも２個所で該消音ボックスの中心線より互いに反対側に片寄らせた構造であれば、通路の形状も図１に示すような形状に限定されるものではない。
【００２４】
また、消音ボックス１内に設ける反射板１０、１１も上記のように通路６の部分６ａと部分６ｂの境界部Ｆ及び部分６ｂと部分６ｃの境界部Ｇに限定されるものではなく、要は吸音材５を透過する音を効果的に音源側に反射できる位置に配置すればよい。
【００２５】
【発明の効果】
以上説明したように本発明によれば、下記の（１）乃至（４）の作用効果が相互に作用し、ファンの性能を低下させることなく、騒音を大幅に低減できる消音ボックス付ファンを提供できる。
（１）通路（６）を構成する片寄部（６ａ、６ｃ）と連通部（６ｂ）の断面積及び断面形状を該通路（６）を通る空気流に渦や旋回流が生じないように略同一としたので、該通路（６）内に空気流の渦が発生することなく、消音ボックス（１）の圧力損失を小さくでき、空気流の旋回によるファン（２）の性能低下を防止できると共に、渦流による騒音の発生がない。
【００２６】
（２）消音ボックス（１）の吸込口（３ａ）からファン（２）の吸込口（２ａ）までの通路（６）を吸音材（５）で形成するので、空気が該通路（６）を通るとき発生する音及びファンから発生する音は該吸音材（５）で吸音され、騒音の低減を図ることができる。
【００２７】
（３）消音ボックス（１）の吸込口（３ａ）からファン（２）の吸込口（２ａ）までの通路を少なくとも２個の片寄部（６ａ、６ｃ）と該片寄部（６ａ、６ｃ）を連通する連通部（６ｂ）とし、連通部（６ｂ）で互いに連通された片寄部（６ａ）と片寄部（６ｃ）はその中心線（ｌ１、ｌ２）を消音ボックス（１）の中心線（Ｌ）より所定量互に反対方向に片寄らせたので、ファン（２）の音は、特に片寄部（６ａ、６ｃ）を連通させる連通部（６ｂ）の内面に当り、ここで吸音されるから、消音ボックス（１）の吸込口（３ａ）に直接伝播することはなく、該吸込口（３ａ）からの騒音の低減を図ることができる。
【００２８】
（４）また、片寄部（６ａ、６ｃ）と連通部（６ｂ）の境界部（Ｆ、Ｇ）に吸音材（５）を透過して伝播する音を反射する反射板（１０、１１）を設けので、音源から吸音材（５）を透過して該反射板に到達する音は該反射板（１０、１１）により音源側に反射するから消音作用が更に向上し騒音の低減を図ることができる。
【図面の簡単な説明】
【図１】本発明の消音ボックス付ファンの構造を示す図である。
【図２】本発明の消音ボックス付ファンの消音作用を説明するための図である。
【符号の説明】
１            消音ボックス
２            ファン
３            吸込板
４            吐出板
５            吸音材
６            通路
７            ケーシング
８            電動機
９            羽根車
１０          反射板
１１          反射板
１２          相フランジ
１３          相フランジ
【図１】
0003734519.tif 000002
【図２】
0003734519.tif 000003